【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
出力対象となるページ情報が記述された出力対象データのファイル、及びリソースファイルを含む文書データを記憶する画像形成装置であって、
前記文書データの出力指示に従って、前記文書データに画像形成装置で原稿読取を実行する処理を定義した読取定義情報があるか否かを判定する読取定義情報判定手段と、
前記読取定義情報判定手段で読取定義情報がある場合に、当該画像形成装置で原稿を読み取るための通知をする読取通知手段と、
前記読取通知手段での通知に従って、原稿を読み取る読取手段と、
前記文書データと前記読取手段で読み取られた原稿の画像とに従って、当該画像をリソースファイルとして格納した文書データを生成する生成手段と、
前記生成手段で生成された文書データを出力する出力手段と
を備えることを特徴とする画像形成装置。
【請求項２】
前記読取定義情報判定手段で読取定義情報がない場合に、前記文書データを印刷する印刷手段
を更に備えることを特徴とする請求項１に記載の画像形成装置。
【請求項３】
前記読取定義情報は、前記読取手段で読み取られた原稿の画像で置き換えるリソースファイルを特定する画像特定情報を含み、
前記生成手段は、前記画像特定情報に従って、前記リソースファイルを前記読取手段で読み取られた原稿のリソースファイルに置き換えることを特徴とする請求項１又は２に記載の画像形成装置。
【請求項４】
前記生成手段で文書データを生成する場合に、出力の際に不要な処理をさせないようにするべく、前記読取定義情報を削除する削除手段
を備えることを特徴とする請求項１乃至３のいずれか１項に記載の画像形成装置。
【請求項５】
前記出力手段は、印刷又はファクシミリ送信又はメール送信又はファイル送信であることを特徴とする請求項１乃至４のいずれか１項に記載の画像形成装置。
【請求項６】
前記文書データに、画像形成装置で出力する方法を定義する出力方法定義情報があるか否かを判定する出力方法定義情報判定手段と、
前記出力方法定義情報判定手段で出力方法定義情報がある場合に、当該出力方法定義情報に従って出力方法を決定する出力方法決定手段とを更に備え、
前記出力手段は、前記出力方法決定手段で決定された出力方法で出力することを特徴とする請求項１乃至５のいずれか１項に記載の画像形成装置。
【請求項７】
前記出力方法定義情報は、情報処理装置で指定された出力方法に従って生成された定義情報であることを特徴とする請求項６に記載の画像形成装置。
【請求項８】
前記情報処理装置からの出力指示に従って生成された文書データを受信する文書データ受信手段と、
前記文書データ受信手段で受信した文書データとユーザ情報とを対応付けて記憶する文書データ記憶手段と
を更に備えることを特徴とする請求項１乃至７のいずれか１項に記載の画像形成装置。
【請求項９】
当該画像形成装置へのログインに応じて、ログインしたユーザのユーザ情報に対応する前記文書データ記憶手段で記憶した文書データの一覧を表示する一覧表示手段を備え、
前記読取定義情報判定手段は、ユーザの操作に応じて前記一覧表示手段で表示した一覧から選択された文書データに対する出力指示に従って、前記読取定義情報があるか否かを判定することを特徴とする請求項８に記載の画像形成装置。
【請求項１０】
前記文書データは、ＸＭＬ形式のアーカイブデータであることを特徴とする請求項１乃至９のいずれか１項に記載の画像形成装置。
【請求項１１】
出力対象となるページ情報が記述された出力対象データのファイル、及びリソースファイルを含む文書データを記憶する画像形成装置の処理方法であって、
前記画像形成装置が、
前記文書データの出力指示に従って、前記文書データに画像形成装置で原稿読取を実行する処理を定義した読取定義情報があるか否かを判定する読取定義情報判定ステップと、
前記読取定義情報判定ステップで読取定義情報がある場合に、当該画像形成装置で原稿を読み取るための通知をする読取通知ステップと、
前記読取通知ステップでの通知に従って、原稿を読み取る読取ステップと、
前記文書データと前記読取ステップで読み取られた原稿の画像とに従って、当該画像をリソースファイルとして格納した文書データを生成する生成ステップと、
前記生成ステップで生成された文書データを出力する出力ステップ
とを実行することを特徴とする処理方法。
【請求項１２】
出力対象となるページ情報が記述された出力対象データのファイル、及びリソースファイルを含む文書データを記憶する画像形成装置で実行可能なプログラムであって、
前記画像形成装置を、
前記文書データの出力指示に従って、前記文書データに画像形成装置で原稿読取を実行する処理を定義した読取定義情報があるか否かを判定する読取定義情報判定手段と、
前記読取定義情報判定手段で読取定義情報がある場合に、当該画像形成装置で原稿を読み取るための通知をする読取通知手段と、
前記読取通知手段での通知に従って、原稿を読み取る読取手段と、
前記文書データと前記読取手段で読み取られた原稿の画像とに従って、当該画像をリソースファイルとして格納した文書データを生成する生成手段と、
前記生成手段で生成された文書データを出力する出力手段と
して機能させることを特徴とするプログラム。
【手続補正２】
【補正対象書類名】明細書
【補正対象項目名】００１２
【補正方法】変更
【補正の内容】
【００１２】
そこで、本発明の目的は、画像形成装置から文書データを出力する際に、文書データに記憶されている読取制御情報に従ってユーザに読取処理を行わせることで、文書データと読取処理により読み取ったデータを含む文書データを画像形成装置上で生成し、出力することができる仕組みを提供することである。
【手続補正３】
【補正対象書類名】明細書
【補正対象項目名】００１３
【補正方法】変更
【補正の内容】
【００１３】
前述した目的を達成するための、出力対象となるページ情報が記述された出力対象データのファイル、及びリソースファイルを含む文書データを記憶する画像形成装置であって、前記文書データの出力指示に従って、前記文書データに画像形成装置で原稿読取を実行する処理を定義した読取定義情報があるか否かを判定する読取定義情報判定手段と、前記読取定義情報判定手段で読取定義情報がある場合に、当該画像形成装置で原稿を読み取るための通知をする読取通知手段と、前記読取通知手段での通知に従って、原稿を読み取る読取手段と、前記文書データと前記読取手段で読み取られた原稿の画像とに従って、当該画像をリソースファイルとして格納した文書データを生成する生成手段と、前記生成手段で生成された文書データを出力する出力手段とを備えることを特徴とする。
【手続補正４】
【補正対象書類名】明細書
【補正対象項目名】００１４
【補正方法】変更
【補正の内容】
【００１４】
また、前記読取定義情報判定手段で読取定義情報がない場合に、前記文書データを印刷する印刷手段を更に備えることを特徴とする。
【手続補正５】
【補正対象書類名】明細書
【補正対象項目名】００１５
【補正方法】変更
【補正の内容】
【００１５】
また、前記読取定義情報は、前記読取手段で読み取られた原稿の画像で置き換えるリソースファイルを特定する画像特定情報を含み、前記生成手段は、前記画像特定情報に従って、前記リソースファイルを前記読取手段で読み取られた原稿のリソースファイルに置き換えることを特徴とする。
【手続補正６】
【補正対象書類名】明細書
【補正対象項目名】００１６
【補正方法】変更
【補正の内容】
【００１６】
また、前記生成手段で文書データを生成する場合に、出力の際に不要な処理をさせないようにするべく、前記読取定義情報を削除する削除手段を備えることを特徴とする。
【手続補正７】
【補正対象書類名】明細書
【補正対象項目名】００１７
【補正方法】変更
【補正の内容】
【００１７】
また、前記出力手段は、印刷又はファクシミリ送信又はメール送信又はファイル送信であることを特徴とする。
【手続補正８】
【補正対象書類名】明細書
【補正対象項目名】００１８
【補正方法】変更
【補正の内容】
【００１８】
また、前記文書データに、画像形成装置で出力する方法を定義する出力方法定義情報があるか否かを判定する出力方法定義情報判定手段と、前記出力方法定義情報判定手段で出力方法定義情報がある場合に、当該出力方法定義情報に従って出力方法を決定する出力方法決定手段とを更に備え、前記出力手段は、前記出力方法決定手段で決定された出力方法で出力することを特徴とする。
【手続補正９】
【補正対象書類名】明細書
【補正対象項目名】００１９
【補正方法】変更
【補正の内容】
【００１９】
また、前記出力方法定義情報は、情報処理装置で指定された出力方法に従って生成された定義情報であることを特徴とする。
【手続補正１０】
【補正対象書類名】明細書
【補正対象項目名】００２０
【補正方法】変更
【補正の内容】
【００２０】
また、前記情報処理装置からの出力指示に従って生成された文書データを受信する文書データ受信手段と、前記文書データ受信手段で受信した文書データとユーザ情報とを対応付けて記憶する文書データ記憶手段とを更に備えることを特徴とする。
【手続補正１１】
【補正対象書類名】明細書
【補正対象項目名】００２１
【補正方法】変更
【補正の内容】
【００２１】
また、当該画像形成装置へのログインに応じて、ログインしたユーザのユーザ情報に対応する前記文書データ記憶手段で記憶した文書データの一覧を表示する一覧表示手段を備え、前記読取定義情報判定手段は、ユーザの操作に応じて前記一覧表示手段で表示した一覧から選択された文書データに対する出力指示に従って、前記読取定義情報があるか否かを判定することを特徴とする。
【手続補正１２】
【補正対象書類名】明細書
【補正対象項目名】００２２
【補正方法】変更
【補正の内容】
【００２２】
また、前記文書データは、ＸＭＬ形式のアーカイブデータであることを特徴とする。
【手続補正１３】
【補正対象書類名】明細書
【補正対象項目名】００２３
【補正方法】変更
【補正の内容】
【００２３】
本発明によれば、画像形成装置から文書データを出力する際に、文書データに記憶されている読取制御情報に従ってユーザに読取処理を行わせることで、文書データと読取処理により読み取ったデータを含む文書データを画像形成装置上で生成し、出力することができることができる。